(57)【要約】【課題】原稿トレイが原稿排出部の上方に配置された画像読取装置および画像形成装置において、原稿排出部に排出された原稿を容易に確認することが可能な画像読取装置および画像形成装置を提供する。【解決手段】原稿Ｐが載置される原稿トレイ１０と、原稿トレイ１０から搬送された原稿Ｐの画像を読み取る画像読取部２０と、原稿トレイ１０の下方に配置され、画像読取部２０による読取後の原稿Ｐが排出される原稿排出部４０とを備え、原稿トレイ１０は、原稿排出部４０の上方において原稿Ｐのサイズに応じて原稿排出部４０に対して原稿Ｐの搬送方向（Ｘ方向）と略直交する幅方向（Ｙ方向）に移動可能に構成されている。【選択図】図４
2015035691.tif 000002
【特許請求の範囲】
【請求項１】
原稿が載置される原稿トレイと、
前記原稿トレイから搬送された前記原稿の画像を読み取る画像読取部と、
前記原稿トレイの下方に配置され、前記画像読取部による読取後の前記原稿が排出される原稿排出部とを備え、
前記原稿トレイは、前記原稿排出部の上方において前記原稿のサイズに応じて前記原稿排出部に対して前記原稿の搬送方向と略直交する幅方向に移動可能に構成されている、画像読取装置。
【請求項２】
前記原稿トレイが前記原稿排出部の上方に重ねられた状態から、前記原稿のサイズが相対的に小さくなるのにしたがって、前記原稿トレイが前記幅方向における前記原稿排出部の中央側に移動されることにより、前記原稿排出部の前記幅方向における端部側が上方に露出するように構成されている、請求項１に記載の画像読取装置。
【請求項３】
前記原稿を前記画像読取部に搬送する原稿搬送部をさらに備え、
前記原稿搬送部は、前記原稿トレイに載置された前記原稿の搬送をガイドする第１ガイド部を含み、
前記原稿トレイは、前記原稿搬送部の前記第１ガイド部が設けられた一方側とは反対の前記原稿トレイの他方側の側端部近傍に設けられた第２ガイド部を含み、
前記原稿トレイが前記幅方向に沿って移動されることにより、前記原稿のサイズに応じて前記第１ガイド部に対する前記第２ガイド部の離間間隔が調整されるように構成されている、請求項１または２に記載の画像読取装置。
【請求項４】
前記第１ガイド部は、前記原稿搬送部に一体的に設けられるとともに、前記第２ガイド部は、前記原稿トレイの前記他方側の側端部近傍に一体的に設けられている、請求項３に記載の画像読取装置。
【請求項５】
前記原稿を前記画像読取部に搬送する原稿搬送部をさらに備え、
前記原稿トレイおよび前記原稿搬送部のいずれか一方には前記幅方向に沿って延びる溝部が設けられているとともに、前記原稿トレイおよび前記原稿搬送部の他方には、前記溝部に対して前記幅方向に相対的に移動可能に係合する係合部が設けられている、請求項１〜４のいずれか１項に記載の画像読取装置。
【請求項６】
前記原稿を前記画像読取部に搬送する原稿搬送部をさらに備え、
前記原稿搬送部は、前記原稿トレイに隣接するように配置され、前記原稿トレイに載置された前記原稿の少なくとも一部の下面領域を補助的に支持する原稿トレイ補助部を含む、請求項１〜５のいずれか１項に記載の画像読取装置。
【請求項７】
前記原稿トレイ補助部は、前記原稿トレイを収納する収納部を有し、
前記収納部は、前記原稿トレイが前記原稿のサイズに応じて前記幅方向における前記原稿排出部の中央側に移動されるにしたがって、前記原稿トレイが前記収納部の奥側に収納されるように構成されている、請求項６に記載の画像読取装置。
【請求項８】
前記原稿トレイは、前記原稿トレイの一方側の一部領域を折り曲げ可能な軸部を含み、
前記原稿トレイが前記幅方向の前記一方側に所定の距離だけ移動された際に、前記軸部を回動軸として前記原稿トレイの一部領域が折り曲げられるように構成されている、請求項１〜７のいずれか１項に記載の画像読取装置。
【請求項９】
原稿が載置される原稿トレイと、
前記原稿トレイから搬送された前記原稿の画像を読み取る画像読取部と、
前記原稿トレイの下方に配置され、前記画像読取部による読取後の前記原稿が排出される原稿排出部と、
前記画像読取部によって読み取られた前記画像を印刷する印刷部とを備え、
前記原稿トレイは、前記原稿排出部の上方において前記原稿のサイズに応じて前記原稿排出部に対して前記原稿の搬送方向と略直交する幅方向に移動可能に構成されている、画像形成装置。
【発明の詳細な説明】
【技術分野】
【０００１】
この発明は、画像読取装置および画像形成装置に関し、特に、原稿トレイが原稿排出部の上方に配置された画像読取装置および画像形成装置に関する。
【背景技術】
【０００２】
従来、原稿トレイが原稿排出部の上方に配置された画像読取装置などが知られている（たとえば、特許文献１参照）。
【０００３】
上記特許文献１には、支軸周りに回動自在に設けられるとともに、回動した場合にユーザに対して近付く原稿トレイと、原稿トレイから搬送された原稿の画像データを読み取りする画像読取ユニットと、原稿トレイの下方に配置されるとともに、搬送された原稿が排出される排紙トレイ（原稿排出部）とを備える画像処理装置（画像読取装置）が開示されている。この特許文献１に記載の画像処理装置では、原稿トレイに載置された原稿が画像読取ユニットにより画像を取得された後、原稿トレイの真下に重なるように配置された排紙トレイに排出されるように構成されている。
【先行技術文献】
【特許文献】
【０００４】
【特許文献１】特開２０１０−２８３３６号公報
【発明の概要】
【発明が解決しようとする課題】
【０００５】
しかしながら、上記特許文献１に記載の画像処理装置では、原稿が原稿トレイの下方（真下）に配置された排紙トレイに排出されるため、排紙トレイに排出された原稿は、原稿トレイに覆われた状態となる。このため、特にサイズの小さな原稿が原稿トレイにセットされた場合には、排紙トレイに排紙される原稿が原稿トレイに完全に覆われてしまい、排出済みの原稿をユーザが容易に確認することができないという問題点がある。
【０００６】
この発明は、上記のような課題を解決するためになされたものであり、この発明の１つの目的は、原稿トレイが原稿排出部の上方に配置された画像読取装置および画像形成装置において、原稿排出部に排出された原稿を容易に確認することが可能な画像読取装置および画像形成装置を提供することである。
【課題を解決するための手段】
【０００７】
この発明の第１の局面による画像読取装置は、原稿が載置される原稿トレイと、原稿トレイから搬送された原稿の画像を読み取る画像読取部と、原稿トレイの下方に配置され、画像読取部による読取後の原稿が排出される原稿排出部とを備え、原稿トレイは、原稿排出部の上方において原稿のサイズに応じて原稿排出部に対して原稿の搬送方向と略直交する幅方向に移動可能に構成されている。
【０００８】
この発明の第１の局面による画像読取装置では、上記のように、原稿トレイは、原稿排出部の上方において原稿のサイズに応じて原稿排出部に対して原稿の搬送方向と略直交する幅方向に移動可能に構成されることによって、原稿サイズが小さい場合には、原稿トレイが原稿の幅方向に狭まるように移動されるので、原稿トレイの退避された原稿排出部の上方は、原稿トレイが存在せずに原稿排出部が露出された状態になる。これにより、比較的小さいサイズの原稿が原稿排出部に排出された場合においても、ユーザが原稿排出部に排出された原稿を容易に確認することができる。
【０００９】
上記第１の局面による画像読取装置において、好ましくは、原稿トレイが原稿排出部の上方に重ねられた状態から、原稿のサイズが相対的に小さくなるのにしたがって、原稿トレイが幅方向における原稿排出部の中央側に移動されることにより、原稿排出部の幅方向における端部側が上方に露出するように構成されている。このように構成すれば、原稿トレイが搬送方向と略直交する幅方向における原稿排出部の中央側に移動した分、原稿排出部の端部側の領域が上方に露出するので、露出した端部側の領域を介してユーザが原稿排出部に排出した原稿をより容易に確認することができる。また、排出済みの原稿を取り出す際のアクセス性も向上することができる。
【００１０】
上記第１の局面による画像読取装置において、好ましくは、原稿を画像読取部に搬送する原稿搬送部をさらに備え、原稿搬送部は、原稿トレイに載置された原稿の搬送をガイドする第１ガイド部を含み、原稿トレイは、原稿搬送部の第１ガイド部が設けられた一方側とは反対の原稿トレイの他方側の側端部近傍に設けられた第２ガイドを含み、原稿トレイが幅方向に沿って移動されることにより、原稿のサイズに応じて第１ガイド部に対する第２ガイド部の離間間隔が調整されるように構成されている。このように構成すれば、原稿トレイを移動させることに付随して第１ガイド部に対する第２ガイド部の離間間隔の調整を行うことができるので、原稿トレイと第１ガイド部および第２ガイド部との移動機構を別々に設ける場合と異なり、画像読取装置の部品点数が増加するのを抑制することができる。また、第２ガイド部の移動により原稿トレイ全体が幅方向に移動されるので、原稿排出部の上方に容易に露出した領域を確保することができる。
【００１１】
この場合、好ましくは、第１ガイド部は、原稿搬送部に一体的に設けられるとともに、第２ガイド部は、原稿トレイの他方側の側端部近傍に一体的に設けられている。このように構成すれば、第１ガイド部と原稿搬送部と、第２ガイド部と原稿トレイとを各々別体で形成する場合に比べて、画像読取装置の部品点数が増加するのをより抑制することができる。
【００１２】
上記第１の局面による画像読取装置において、好ましくは、原稿を画像読取部に搬送する原稿搬送部をさらに備え、原稿トレイおよび原稿搬送部のいずれか一方には幅方向に沿って延びる溝部が設けられているとともに、原稿トレイおよび原稿搬送部の他方には、溝部に対して幅方向に相対的に移動可能に係合する係合部が設けられている。このように構成すれば、原稿トレイを移動させるための複雑な構造または機構が必要でないので、簡素な構造によって原稿トレイを確実に幅方向に沿って移動させることができる。
【００１３】
上記第１の局面による画像読取装置において、好ましくは、原稿を画像読取部に搬送する原稿搬送部をさらに備え、原稿搬送部は、原稿トレイに隣接するように配置され、原稿トレイに載置された原稿の少なくとも一部の下面領域を補助的に支持する原稿トレイ補助部を含む。このように構成すれば、原稿トレイ補助部が原稿の少なくとも一部を支持する分、原稿の搬送方向と略直交する方向の原稿トレイの幅を小さくすることができる。これにより、原稿トレイを幅方向に移動させる際に、原稿トレイが原稿搬送部の奥側に顕著に突出するのを抑制することができる。この結果、画像読取装置の設置場所が制限されることを抑制することができる。
【００１４】
この場合、好ましくは、原稿トレイ補助部は、原稿トレイを収納する収納部を有し、収納部は、原稿トレイが原稿のサイズに応じて幅方向における原稿排出部の中央側に移動されるにしたがって、原稿トレイが収納部の奥側に収納されるように構成されている。このように構成すれば、原稿トレイが原稿搬送部の奥側に顕著に突出するのを防止することができるとともに、収納部により原稿トレイを支持することができる。
【００１５】
上記第１の局面による画像読取装置において、好ましくは、原稿トレイは、原稿トレイの一方側の一部領域を折り曲げ可能な軸部を含み、原稿トレイが幅方向の一方側に所定の距離だけ移動された際に、軸部を回動軸として原稿トレイの一部領域が折り曲げられるように構成されている。このように構成すれば、原稿トレイが原稿搬送部の奥側に突出した際に、原稿トレイの一部領域が折り曲げられるので、画像読取装置の設置場所が制限されることを抑制することができる。
【００１６】
この発明の第２の局面による画像形成装置は、原稿が載置される原稿トレイと、原稿トレイから搬送された原稿の画像を読み取る画像読取部と、原稿トレイの下方に配置され、画像読取部による読取後の原稿が排出される原稿排出部と、画像読取部によって読み取られた画像を印刷する印刷部とを備え、原稿トレイは、原稿排出部の上方において原稿のサイズに応じて原稿排出部に対して原稿の搬送方向と略直交する幅方向に移動可能に構成されている。
【００１７】
この発明の第２の局面による画像形成装置では、上記のように、原稿トレイは、原稿排出部の上方において原稿のサイズに応じて原稿排出部に対して原稿の搬送方向と略直交する幅方向に移動可能に構成されることによって、原稿サイズが小さい場合には、原稿トレイが原稿の幅方向に狭まるように移動されるので、原稿トレイの退避された原稿排出部の上方は、原稿トレイが存在せずに原稿排出部が露出された状態になる。これにより、比較的小さいサイズの原稿が原稿排出部に排出された場合においても、ユーザが原稿排出部に排出された原稿を容易に確認することができる。
【発明の効果】
【００１８】
本発明によれば、上記のように、原稿トレイが原稿排出部の上方に配置された画像読取装置および画像形成装置において、原稿排出部に排出された原稿を容易に確認することが可能な画像読取装置および画像形成装置を提供することができる。
【図面の簡単な説明】
【００１９】
【図１】本発明の第１実施形態による複合機の全体構成を示した斜視図である。
【図２】本発明の第１実施形態による複合機の原稿ガイドを奥側に移動させた状態を示した斜視図である。
【図３】本発明の第１実施形態による複合機の溝部と係合部を示した拡大図である。
【図４】本発明の第１実施形態による複合機の原稿トレイに原稿を載置した状態を示した斜視図である。
【図５】本発明の第１実施形態による複合機の原稿トレイに原稿を載置した状態を示した側面図である。
【図６】本発明の第２実施形態による複合機の全体構成を示した斜視図である。
【図７】本発明の第２実施形態による複合機の原稿トレイを示した斜視図である。
【図８】本発明の第２実施形態による複合機の原稿トレイに原稿を載置した状態を示した斜視図である。
【図９】本発明の第３実施形態による複合機の原稿トレイに原稿を載置した状態を示した斜視図である。
【発明を実施するための形態】
【００２０】
以下、本発明の実施形態を図面に基づいて説明する。
【００２１】
図１〜図５を参照して、本発明の第１実施形態による複合機１００の構成について説明する。なお、複合機１００は、本発明の「画像読取装置」および「画像形成装置」の一例である。
【００２２】
本発明の第１実施形態による複合機１００は、図１および図４に示すように、原稿Ｐが載置される原稿トレイ１０と、原稿Ｐの画像を読み取る画像読取部２０と、原稿トレイに載置された原稿Ｐを画像読取部２０に搬送する原稿搬送部３０と、原稿Ｐが排出される原稿排出部４０と、原稿Ｐの画像のスキャン操作やコピー操作などの入力を受け付ける操作部５０と、原稿読取部２０によって読み取られた画像を印刷する印刷部６０とを備えている。
【００２３】
また、原稿トレイ１０は、原稿排出部４０の上方（Ｚ１方向）に配置されている。また、原稿トレイ１０は、原稿トレイ１０に載置された原稿Ｐの搬送をガイドする原稿ガイド１１と、原稿搬送部３０に設けられた後述の溝部３４に係合する係合部１２（図２参照）とを含む。また、原稿ガイド１１は、原稿トレイ１０の手前側（Ｙ２側）の側端部１０ｅ近傍に配置されている。また、係合部１２は、原稿トレイ１０の原稿Ｐの搬送方向における給紙側（Ｘ１側）の端部に、搬送方向（Ｘ方向）と略直交する幅方向（Ｙ方向）に沿って設けられている。また、係合部１２は、原稿トレイ１０が幅方向に摺動可能に溝部３４と係合される。なお、原稿ガイド１１は、本発明の「第２ガイド部」の一例である。
【００２４】
また、原稿トレイ１０は、載置面１０ａに凹部領域１０ｂを有する。また、載置面１０ａの凹部領域１０ｂは、原稿トレイ１０が幅方向に摺動される際に、原稿搬送部３０に設けられた後述の原稿ガイド３３の下方（Ｚ２側）を通過するように配置されている。また、原稿トレイ１０は、凹部領域１０ｂのＹ１側の内側面１０ｄが原稿ガイド３３と当接した状態（図１の状態）において、原稿ガイド１１と原稿ガイド３３との離間間隔Ｌ１が最大となるように構成されている。また、原稿トレイ１０は、図２に示すように、凹部領域１０ｂのＹ２側の内側面１０ｃが原稿ガイド３３と当接した状態において、原稿ガイド１１と原稿ガイド３３との離間間隔Ｌ１が最小となるように構成されている。なお、原稿ガイド３３は、本発明の「第１ガイド部」の一例である。
【００２５】
また、原稿搬送部３０は、複合機１００の搬送方向における給紙側（Ｘ１側）に配置されている。また、原稿搬送部３０は、原稿トレイ１０に載置された原稿Ｐを取り込むための給紙口３１と、原稿Ｐを搬送する図示しない搬送ローラと、原稿Ｐを排出するための排紙口３２と、給紙口３１への原稿Ｐの搬送をガイドする原稿ガイド３３と、原稿トレイ１０の係合部１２が係合される溝部３４とを含む。また、給紙口３１および排紙口３２は、原稿搬送部３０の原稿トレイ１０が係合される側（Ｘ２側）において給紙口３１に対して排紙口３２が下方となるように配置されている。また、図示しない搬送ローラは、原稿搬送部３０の内側に配置されている。また、原稿ガイド３３は、給紙口３１の奥側（Ｙ１側）端部近傍から、原稿Ｐの搬送方向における給紙側と反対側（Ｘ２側）に向かって原稿搬送部３０から延びるように設けられている。また、溝部３４は、給紙口３１と排紙口３２との間に原稿搬送部３０の幅方向に沿って設けられている。また、原稿搬送部３０は、給紙口３１より原稿Ｐを取り込み、図示しない搬送ローラにより画像読取部２０に原稿Ｐを搬送するとともに、排紙口３２を経て原稿排出部４０に原稿Ｐを排出するように構成されている。
【００２６】
また、原稿排出部４０は、原稿トレイ１０の下方に配置されている。また、原稿排出部４０は、排紙口３２より排出された原稿Ｐが載置されるように構成されている。
【００２７】
ここで、第１実施形態では、原稿トレイ１０は、図１および図２に示すように、溝部３４と係合部１２とが係合した状態で原稿トレイ１０が幅方向（Ｙ方向）に摺動可能に構成されている。また、原稿トレイ１０の係合部１２は、図３に示すように、概略Ｙ方向に延びた略矩形状を有するとともに、溝部３４に挿入される側（Ｙ１側）の先端１２ａが先細るテーパ状に形成されている。また、溝部３４は、端部に係合部１２の挿入のための開口部３４ａを有している。また、係合部１２は、テーパ状を有する先端１２ａを先頭として溝部３４の開口部３４ａを通って、溝部３４に挿入されるように構成されている。また、溝部３４は、原稿搬送部３０の反対側（Ｙ１側）の端面にも開口部３４ａと同一の形状の開口部が存在している。
【００２８】
また、第１実施形態では、原稿トレイ１０は、図４において、原稿トレイ１０に原稿Ｐが載置された状態を示しており、図１における原稿トレイ１０の位置から、原稿ガイド１１の位置が原稿Ｐのサイズに合うように原稿排出部４０の中央側（Ｙ１側）に摺動されている。また、原稿トレイ１０は、原稿排出部４０の中央側に摺動されることにより、原稿排出部４０の幅方向のＹ２側が上方に露出するとともに、露出領域Ｓ（破線で示す）が形成されるように構成されている。また、原稿搬送部３０は、図５に示すように、原稿トレイ１０に載置された原稿Ｐを、原稿Ｐの真下（Ｚ２側）の原稿排出部４０上に排出するように構成されている。また、露出領域Ｓが形成されることにより、排出された原稿Ｐを図５に示す角度からユーザが視認しやすくなるように構成されている。
【００２９】
また、原稿ガイド３３は、原稿ガイド１１が設けられた手前側とは反対側の原稿搬送部３０の奥側（Ｙ１側）に配置されるとともに、原稿Ｐの奥側の端部を搬送方向に沿ってガイドするように構成されている。また、原稿ガイド１１は、原稿トレイ１０が幅方向に沿って摺動するのに付随して移動されるとともに、原稿ガイド３３に対する離間間隔Ｌ１（図１参照）が調整されるように構成されている。また、原稿ガイド１１は、原稿Ｐの手前側の端部を搬送方向に沿ってガイド可能に構成されている。また、原稿ガイド３３は、原稿搬送部３０と一体的に設けられている。また、原稿ガイド１１は、原稿トレイ１０と一体的に設けられている。
【００３０】
また、操作部５０は、複合機１００の幅方向の手前側（Ｙ２側）で搬送方向の中央近傍に配置されている。また、操作部５０は原稿Ｐのスキャン操作やコピー操作の開始や、読取時の原稿サイズの設定など、複合機１００の各種操作を実行可能に構成されている。
【００３１】
また、印刷部６０は、複合機１００の内側に図示しない所定の印刷機構を有している。また、印刷部６０は、画像読取部２０によって取得された原稿の画像が複合機１００の内部に収納されている用紙に印刷されるとともに、図示しない用紙排出部に排出されるように構成されている。このようにして、本発明の第１実施形態による複合機１００は構成されている。
【００３２】
第１実施形態では、以下の効果を得ることができる。
【００３３】
第１実施形態では、上記のように、原稿トレイ１０を原稿排出部４０の上方において原稿Ｐのサイズに応じて原稿排出部４０に対して原稿Ｐの搬送方向（Ｘ方向）と略直交する幅方向（Ｙ方向）に移動可能に構成することによって、原稿Ｐのサイズ（幅）が小さい場合には、原稿トレイ１０が原稿Ｐの幅方向に狭まるように移動されるので、原稿トレイ１０の退避された原稿排出部４０の上方は、原稿トレイ１０が存在せずに露出領域Ｓを介して原稿排出部４０が露出された状態になる。これにより、比較的小さいサイズの原稿Ｐが原稿排出部４０に排出された場合においても、ユーザが原稿排出部４０に排出された原稿Ｐを容易に確認することができる。
【００３４】
また、第１実施形態では、上記のように、原稿トレイ１０が原稿排出部４０の上方に重ねられた状態から、原稿Ｐ１のサイズ（幅）が相対的に小さくなるのにしたがって、図１における原稿トレイ１０の位置から、原稿トレイ１０が幅方向における原稿排出部４０の中央側（Ｙ１側）に移動されることにより、原稿排出部４０の幅方向における端部側（Ｙ２側）が上方に露出するように複合機１００を構成する。これにより、原稿トレイ１０が搬送方向と略直交する幅方向における原稿排出部４０の中央側に移動した分、原稿排出部４０の端部側の露出領域Ｓが上方に露出するので、露出した端部側の露出領域Ｓを介してユーザが原稿排出部４０に排出した原稿Ｐをより容易に確認することができる。また、排出済みの原稿Ｐを取り出す際のアクセス性も向上することができる。
【００３５】
また、第１実施形態では、上記のように、原稿Ｐを画像読取部２０に搬送する原稿搬送部３０をさらに備え、原稿搬送部３０は、原稿トレイ１０に載置された原稿Ｐの搬送をガイドする原稿ガイド３３を含み、原稿トレイ１０は、原稿搬送部３０の原稿ガイド３３が設けられた一方側（Ｙ１側）とは反対の原稿トレイ１０の他方側（Ｙ２側）の側端部１０ｅ近傍に設けられた原稿ガイド１１を含み、原稿トレイ１０が幅方向に沿って移動されることにより、原稿Ｐのサイズに応じて原稿ガイド３３に対する原稿ガイド１１の離間間隔Ｌ１が調整されるように複合機１００を構成する。これにより、原稿トレイ１０を移動させることに付随して原稿ガイド３３に対する原稿ガイド１１の離間間隔Ｌ１の調整を行うことができるので、原稿トレイ１０と原稿ガイド３３および原稿ガイド１１との移動機構を別々に設ける場合と異なり、複合機１００の部品点数が増加するのを抑制することができる。また、原稿ガイド１１の移動により原稿トレイ１０全体が幅方向に移動されるので、原稿排出部４０の上方に容易に露出領域Ｓを確保することができる。
【００３６】
また、第１実施形態では、上記のように、原稿ガイド３３を、原稿搬送部３０に一体的に設けるとともに、原稿ガイド１１を、原稿トレイ１０の他方側の側端部１０ｅ近傍に一体的に設けている。これにより、原稿ガイド３３と原稿搬送部３０と、原稿ガイド１１と原稿トレイ１０とを各々別体で形成する場合に比べて、複合機１００の部品点数が増加するのをより抑制することができる。
【００３７】
また、第１実施形態では、上記のように、原稿Ｐを画像読取部２０に搬送する原稿搬送部３０をさらに備え、原稿搬送部３０には幅方向に沿って延びる溝部３４を設けるとともに、原稿トレイ１０には、溝部３４に対して幅方向に相対的に移動可能に係合する係合部１２を設ける。これにより、原稿トレイ１０を移動させるための複雑な構造または機構が必要でないので、簡素な構造によって原稿トレイ１０を確実に幅方向に沿って移動させることができる。
【００３８】
（第２実施形態）
次に、図２および図６〜図８を参照して、第２実施形態について説明する。この第２実施形態では、上記第１実施形態とは異なり、原稿搬送部１３０がさらに収納部１３５を有する例について説明する。なお、収納部１３５は、本発明の「原稿トレイ補助部」の一例である。
【００３９】
本発明の第２実施形態による複合機２００は、図６に示すように、原稿トレイ１１０と、画像読取部２０と、収納部１３５を有する原稿搬送部１３０と、原稿排出部４０と、操作部５０と、印刷部６０とを備える。なお、複合機２００は、本発明の「画像読取装置」および「画像形成装置」の一例である。
【００４０】
また、原稿トレイ１１０は、図７に示すように、凹部領域１１０ｂの２箇所に爪部１１２を有している。また、爪部１１２は後述の収納部１３５（図６参照）に設けられた開口領域１３５ａ（図６参照）と係合することによって、原稿トレイ１１０が収納部１３５に収納された状態から容易に脱落しないように構成されている。
【００４１】
また、収納部１３５は、図６に示すように、原稿搬送部１３０の奥側（Ｙ１側）で、原稿トレイ１１０と略水平な位置に配置されている。また、収納部１３５は、略矩形状を有するとともに、内側に原稿トレイ１１０が挿入可能に構成されている。また、収納部１３５は、上面（Ｚ１側の面）に２箇所の開口領域１３５ａが形成されている。
【００４２】
ここで、第２実施形態では、図８に示すように、溝部３４と係合部１２（図２参照）が係合した状態で原稿トレイ１１０が幅方向（Ｙ方向）に摺動可能に構成されている。また、図８においては、原稿トレイ１１０に原稿Ｐが載置された状態を示しており、原稿トレイ１１０は、図６における原稿トレイ１１０の位置から、原稿ガイド部１１１の位置が原稿Ｐのサイズに合うように原稿排出部４０の中央側（Ｙ１側）に摺動されている。また、原稿トレイ１１０は、原稿排出部４０の中央側に摺動されることにより、原稿排出部４０の幅方向の一方端部側（Ｙ２側）が上方に露出するとともに、露出領域Ｓ（破線で示す）が形成されるように構成されている。また、原稿搬送部３０は、原稿トレイ１１０に載置された原稿Ｐを、原稿Ｐの真下（Ｚ２側）の原稿排出部４０上に排出するように構成されている。また、露出領域Ｓは、排出された原稿Ｐをユーザが視認可能に形成されている。
【００４３】
また、第２実施形態では、収納部１３５は、図６に示すように、原稿ガイド１３３よりも手前側の上面（Ｚ１側の面）に、原稿Ｐの下面領域の少なくとも一部を補助的に支持する原稿支持領域１３５ｂを形成している。また、原稿支持領域１３５ｂは、幅方向に長さＬ２（固定値）を有する。また、収納部１３５は、図８に示すように、原稿Ｐが原稿トレイ１１０に載置される際に、原稿Ｐの少なくとも一部が原稿支持領域１３５ｂに載置（支持）されるように構成されている。
【００４４】
また、収納部１３５は、原稿トレイ１１０の奥側の一部が収納部１３５に収納された状態（図６における原稿トレイ１１０の状態）から、原稿排出部４０の中央側に摺動された際に、収納部１３５の奥側に収納されるように構成されている。これにより、原稿トレイ１１０は、原稿ガイド１１１と収納部１３５との離間間隔Ｌ３が伸縮可能に構成されている。具体的には、原稿トレイ１１０が収納部１３５に収納される際に、離間間隔Ｌ３は小さくなる。したがって、原稿トレイ１１０が収納部１３５から引き出される際に、離間間隔Ｌ３は大きくなる。また、原稿支持領域の幅方向の長さＬ２と離間間隔Ｌ３とを足し合わせた値は、図１における離間間隔Ｌ１の値と対応するように構成されている。このようにして、本発明の第２実施形態による複合機２００は構成されている。
【００４５】
なお、第２実施形態のその他の構成は、上記第１実施形態と同様である。
【００４６】
第２実施形態では、上記のように、原稿Ｐを画像読取部２０に搬送する原稿搬送部３０を備え、原稿搬送部３０は、原稿トレイ１１０に隣接するように配置され、原稿トレイ１１０に載置された原稿Ｐの少なくとも一部の下面領域を原稿支持領域１３５ｂで補助的に支持する収納部１３５を含む。これにより、原稿Ｐの搬送方向と略直交する方向の原稿トレイ１１０の幅を、少なくとも原稿支持領域１３５ｂの有する長さＬ２の分、小さくすることができる。これにより、原稿トレイ１１０を幅方向に移動させる際に、図２に示した原稿トレイ１０のように、原稿トレイ１１０が原稿搬送部１３０のＹ１側の側面１３０ａよりも奥側（Ｙ１側）に顕著に突出するのを抑制することができる。この結果、複合機２００の設置場所が制限されることを抑制することができる。
【００４７】
また、第２実施形態では、上記のように、原稿トレイ１１０が原稿Ｐ１のサイズに応じて幅方向における原稿排出部４０の中央側に移動されるにしたがって、原稿トレイ１１０が収納部１３５の奥側に収納されるように収納部１３５を構成する。これにより、原稿トレイ１１０が原稿搬送部１３０のＹ１側の側面１３０ａよりも奥側に顕著に突出するのを防止することができるとともに、収納部１３５により原稿トレイ１１０を支持することができる。
【００４８】
なお、第２実施形態のその他の効果は、上記第１実施形態と同様である。
【００４９】
（第３実施形態）
次に、図２および図９を参照して、第３実施形態について説明する。この第３実施形態では、上記第１実施形態とは異なり、原稿トレイ２１０がさらに折り曲げ可能な軸部２１３を含み、原稿トレイ２１０の一部領域が折り曲げられる例について説明する。
【００５０】
本発明の第３実施形態による複合機３００は、図８に示すように、折り曲げ可能な軸部２１３を含む原稿トレイ２１０と、画像読取部２０と、原稿搬送部３０と、原稿排出部４０と、操作部５０と、印刷部６０とを備える。なお、複合機３００は、本発明の「画像読取装置」および「画像形成装置」の一例である。
【００５１】
ここで、第３実施形態では、図９に示すように、溝部３４と係合部１２（図２参照）が係合した状態で原稿トレイ２１０が幅方向（Ｙ方向）に摺動可能に構成されている。また、図９においては、原稿トレイ２１０に原稿Ｐが載置された状態を示しており、原稿トレイ２１０は、原稿ガイド部２１１の位置が原稿Ｐのサイズに合うように原稿排出部４０の中央側（Ｙ１側）に摺動されている。また、原稿トレイ２１０は、原稿排出部４０の中央側に摺動されることにより、原稿排出部４０の幅方向の一方端部側（Ｙ２側）が上方に露出するとともに、露出領域Ｓ（破線で示す）が形成されるように構成されている。また、原稿搬送部３０は、原稿トレイ２１０に載置された原稿Ｐを、原稿Ｐの真下（Ｚ２側）の原稿排出部４０上に排出するように構成されている。また、露出領域Ｓは、排出された原稿Ｐをユーザが視認可能に形成されている。
【００５２】
また、第３実施形態では、原稿トレイ２１０は、奥側（Ｙ１側）に配置された折り曲げ領域２１４が原稿トレイ２１０の折り曲げ領域２１４以外の部分２１５と分割されている。また、原稿トレイ２１０は、折り曲げ領域２１４の上方（Ｚ１側）の端部近傍に、折り曲げ領域２１４を回動可能な軸部２１３を含む。また、原稿トレイ２１０は、軸部２１３が原稿搬送部３０のＹ１側の側面３０ａを越えてＹ１側に摺動された際に、軸部２１３を回動軸として折り曲げ領域２１４が矢印Ｑ方向に回動するように構成されている。このようにして、本発明の第３実施形態による複合機３００は構成されている。
【００５３】
なお、第３実施形態のその他の構成は、上記第１実施形態と同様である。
【００５４】
第３実施形態では、上記のように、原稿トレイ２１０は、原稿トレイ２１０の一方側の折り曲げ領域２１４を折り曲げ可能な軸部２１３を含み、原稿トレイ２１０の軸部２１３が原稿搬送部３０のＹ１側の側面３０ａを越えてＹ１側に摺動された際に、軸部２１３を回動軸として原稿トレイ２１０の折り曲げ領域２１４が折り曲げられるように構成する。これにより、原稿トレイ２１０が原稿搬送部３０の奥側に突出した際に、原稿トレイ２１０の折り曲げ領域２１４が折り曲げられるので、複合機３００の設置場所が制限されることを抑制することができる。
【００５５】
なお、第３実施形態のその他の効果は、上記第１実施形態と同様である。
【００５６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５７】
たとえば、上記第１〜第３実施形態では、本発明の画像読取装置および画像形成装置を複合機１００（２００、３００）に適用する例について示したが、本発明はこれに限られない。本発明では、複合機１００（２００、３００）以外の画像読取装置および画像形成装置に本発明を適用してもよい。たとえば、スキャナ装置などの画像読取装置単体や、コピー装置などの画像形成装置単体に本発明を適用してもよい。
【００５８】
また、上記第１〜第３実施形態では、原稿トレイ１０（１１０、２１０）の移動手段として摺動させる例について示したが、本発明はこれに限られない。本発明では、移動手段は、原稿トレイ１０（１１０、２１０）が露出領域Ｓを確保できるように移動できれば、どのような方法でもよい。たとえば、原稿トレイ１０（１１０、２１０）に鉤状の引っ掛かり部を設けるとともに、これに対応する複数の係合部を原稿搬送部３０（１３０）に設けることで、原稿搬送部３０（１３０）の所定の位置に原稿トレイ１０（１１０、２１０）を取り付けるような構成でもよい。
【００５９】
また、上記第１〜第３実施形態では、原稿トレイ１０（１１０、２１０）に係合部１２を設けるとともに、原稿搬送部３０（１３０）に溝部３４を設ける例について示したが、本発明はこれに限られない。本発明では、原稿トレイ１０（１１０、２１０）に溝部を設けるとともに、原稿搬送部３０（１３０）に係合部を設ける構成でもよい。
【００６０】
また、上記第１〜第３実施形態では、原稿ガイド３３（１３３）を原稿搬送部３０（１３０）と一体的に設けるとともに、原稿ガイド１１（１１１、２１１）を原稿トレイ１０（１１０、２１０）と一体的に設ける例について示したが、本発明はこれに限られない。本発明では、原稿ガイド３３（１３３）および原稿ガイド１１（１１１、２１１）は、各々原稿搬送部３０（１３０）と原稿トレイ１０（１１０、２１０）に固定されていればよい。たとえば、原稿ガイド３３（１３３）を原稿搬送部３０（１３０）から、原稿ガイド１１（１１１、２１１）を原稿トレイ１０（１１０、２１０）から取り外し可能に構成してもよい。
【００６１】
また、上記第１〜第３実施形態では、原稿排出部４０の原稿Ｐが排出される面を略平坦形状とした例について示したが、本発明はこれに限られない。本発明では、原稿排出部４０の原稿Ｐが排出される面に手前側（Ｙ２側）にゆるやかに下がる勾配を設けてもよい。これにより、原稿Ｐが原稿排出部４０に排出されるとともに、露出領域Ｓが形成された側（Ｙ２側）に移動するため、さらにユーザの視認性を向上することができる。
【００６２】
また、上記第２実施形態では、原稿トレイ補助部を収納部１３５とした例について示したが、本発明はこれに限られない。本発明では、原稿トレイ補助部は、原稿の下面領域の少なくとも一部を補助的に支持できればどのような構成でもよい。たとえば、原稿トレイ補助部が平板状の形状を有していてもよい。
【００６３】
また、上記第３実施形態では、原稿トレイ２１０に軸部２１３を回動軸として折り曲げ領域２１４を折り曲げる例について示したが、本発明はこれに限られない。本発明では、原稿搬送部３０のＹ１側の側面３０ａから突出した原稿トレイが折り曲げられれば、どのような構成でもよい。たとえば、原稿トレイは、原稿トレイのＹ１側の所定の領域を複数の短冊状の短冊部が連結するような構成にされるとともに、原稿トレイがＹ１方向に移動されるにしたがって、原稿ガイド３３からＹ１側に突出した短冊部の連結箇所が順次折れ曲がり、軸部に沿って巻き取られるような構成でもよい。
【符号の説明】
【００６４】
１０、１１０、２１０  原稿トレイ
１０ｅ  側端部
１１、１１１、２１１  原稿ガイド（第２ガイド部）
１２  係合部
２０  画像読取部
３０、１３０  原稿搬送部
３３、１３３  原稿ガイド（第１ガイド部）
４０  原稿排出部
６０  印刷部
１００、２００、３００  複合機（画像読取装置、画像形成装置）
１３５  収納部（原稿トレイ補助部）
２１３  軸部
【図１】
2015035691.tif 000003
【図２】
2015035691.tif 000004
【図３】
2015035691.tif 000005
【図４】
2015035691.tif 000006
【図５】
2015035691.tif 000007
【図６】
2015035691.tif 000008
【図７】
2015035691.tif 000009
【図８】
2015035691.tif 000010
【図９】
2015035691.tif 000011